(57)【要約】【課題】ゴルフのティアップ時、ゴルフボールはゴルフティに載置される。ボール打撃時、ボールとともにティーが飛ばされる。その飛距離が大きいとティの回収が困難となり、円滑なプレーの進行を妨げる。【解決手段】円板等のプレートに貫通孔を設け、これにティを挿通されるように構成することにより、ティの飛行距離を低減させる。【選択図】図３
2005224579.tif 000002
【特許請求の範囲】
【請求項１】
板状の本体と、この本体を貫通する孔とを備えており、この孔にゴルフティが挿通されるように構成されたプレート。
【請求項２】
上記本体の平面形状の面積が３００ｍｍ２以上である請求項１に記載のプレート。
【請求項３】
上記本体が、架橋ゴム又は軟質樹脂からなる請求項１又は２に記載のプレート。
【請求項４】
上記請求項１から３のいずれかに記載のプレートと、その脚に目盛りが印されたゴルフティとの組み合わせ。
【発明の詳細な説明】
【技術分野】
【０００１】  本発明は、ゴルフティに装着されて使用されるプレートに関する。
【背景技術】
【０００２】  ゴルフのティアップでは、ティが地面に差し込まれ、このティにゴルフボールが載置される。ゴルファーは、使用するクラブの番手、風向き、フェアウエイの傾斜等を考慮して、地面からのボールの高さを調整する。ボール高さの調整は、ティの地面への差し込み深さの調整によってなされる。【０００３】  クラブでゴルフボールが打撃される際、クラブヘッドがティに衝突することがある。この衝突によりティが空中を飛行し、やがて地面に落下する。ティの落下地点は、ティグラウンド又はその周辺である。ゴルファーは、ティを回収してプレーを続ける。
【特許文献１】特開平７−３１７０１号公報
【発明の開示】
【発明が解決しようとする課題】
【０００４】  ティの地面への差し込み深さには、明確なめやすはない。ゴルフボールの高さの調整は、ゴルファーの感覚に依存している。必ずしも本来のボール高さが達成されている訳ではない。【０００５】  ゴルファーは、スイング中はゴルフボールを見ており、スイング後もしばらくは飛行するゴルフボールを見ている。ゴルファーが飛行するティを注視することはない。ゴルフボールの落下を確認した後、ゴルファーはティを探す。ティの発見までに長時間を要することもある。このことは、プレーの円滑な進行を妨げる。ゴルファーがティを発見できないこともある。この場合は、ティはゴルフコースに残存し続ける。残存するティはゴルフコースの美観を損ない、かつ自然環境に悪影響を与える。
【課題を解決するための手段】
【０００６】  本発明に係るプレートは、板状の本体と、この本体を貫通する孔とを備えている。このプレートは、孔にゴルフティが挿通されるように構成されている。【０００７】  好ましくは、本体の平面形状の面積は、３００ｍｍ２以上である。好ましくは、本体は架橋ゴム又は軟質樹脂からなる。【０００８】  このプレートと、その脚に目盛りが印されたゴルフティとが組み合わされてもよい。
【発明の効果】
【０００９】  このプレートは、ゴルフティに装着されて使用される。装着の際は、ティが孔に差し込まれる。ティアップでは、本体が地面に当接するように、ティが地面に差し込まれる。ティの孔への差し込み深さが調整されることにより、ゴルフボールの高さが所望の値となる。【００１０】  このプレートは、ティの飛行を抑制する。換言すれば、スイング後にゴルファーがティを探す領域が狭い。ゴルファーは、ティを見つけやすい。このプレートが用いられることにより、ティの回収率が高まる。
【発明を実施するための最良の形態】
【００１１】  以下、適宜図面が参照されつつ、好ましい実施形態に基づいて本発明が詳細に説明される。【００１２】  図１は、本発明の一実施形態に係るプレート２が示された斜視図であり、図２はその断面図である。このプレート２は、本体４及び筒部６を備えている。本体４は、板状（詳細には円盤状）である。筒部６は、本体４の裏側のほぼ中央に位置している。本体４と筒部６とは、一体的に成形されている。本体４の中央には、孔８が設けられている。この孔８は本体４を貫通し、かつ筒部６をも貫通している。筒部６が設けられなくてもよい。【００１３】  本体４及び筒部６は、架橋ゴム又は軟質樹脂からなる。好ましくは、本体４及び筒部６のＪＩＳ−Ａ硬度は、４０°以上７０°以下である。【００１４】  図３は、図１のプレート２の使用状態が示された正面図である。このプレート２が使用されるには、まずゴルファーが、孔８にゴルフティ１０の脚１２を挿通する。孔８の内径は、脚１２の外径よりも若干小さめが好ましい。挿通時には本体４及び脚１２が弾性変形を起こすので、孔８の内径が脚１２の外径よりも小さくても、挿通が可能である。挿通後は、本体４及び筒部６の復元力により、脚１２が締め付けられる。この締め付けにより、プレート２と脚１２との位置関係が固定される。次にゴルファーは、図３に示されるように、脚１２を地面Ｇに差し込む。差し込みは、プレート２が地面Ｇに当接するまで行われる。次にゴルファーは、ティ１０の台部１４にゴルフボール１６を載置する。ゴルファーは、このゴルフボール１６をゴルフクラブで打撃する。【００１５】  図３において両矢印Ｄｅで示されているのは、プレート２に対するティ１０の差し込み深さである。一方、両矢印Ｈで示されているのは、ゴルフボール１６の地面Ｇからの高さである。差し込み深さＤｅが決定されれば、ボール高さＨも決定される。前述のように、プレート２と脚１２との位置関係は、締め付けによって固定されている。換言すれば、差し込み深さＤｅは常に一定であり、ボール高さＨも常に一定である。ゴルファーは、常に自らに最適な位置にあるボールを打撃することができる。【００１６】  差し込み深さＤｅが変更されることにより、ボール高さＨが変更される。ゴルファーは、使用するクラブの番手、風向き、フェアウエイの傾斜等を考慮して差し込み深さＤｅを調整し、ボール高さＨを調整しうる。ティ１０の脚１２に目盛りが印されれば、差し込み深さＤｅの調整が容易である。【００１７】  ゴルフボール１６の打撃に伴い、ティ１０もクラブヘッドと衝突し、飛行する。ティ１０とプレート２とが一体となった物の空気抵抗は、ティ１０単体の空気抵抗よりも大きい。プレート２が装着されたティ１０の飛距離は、小さい。ティ１０は、打撃位置の近くに落下する。しかもプレート２は軟質材料からなるので、ティ１０のバウンドも少ない。さらに、プレート２とティ１０とが一体となった物は、ティ１０単体よりも嵩が大きいので目立つ。ゴルファーは、容易にティ１０を見つけることができる。このプレート２は、ティ１０の回収率を高める。【００１８】  空気抵抗の観点から、本体４の平面形状の面積は３００ｍｍ２以上が好ましく、６５０ｍｍ２以上がより好ましく、１２００ｍｍ���以上が特に好ましい。取り扱いが容易との観点から、面積は４０００ｍｍ２以下が好ましい。本体４が円盤状である場合は、その直径Ｄｉ（図１参照）は２０ｍｍ以上が好ましく、３０ｍｍ以上がより好ましく、４０ｍｍ以上が特に好ましい。本体４の平面形状が、多角形、楕円、長円等であってもよい。【００１９】  図４は、空気の密度が１．２ｋｇ／ｍ３と仮定され、初速が４０ｍ／ｓと仮定され、発射角度が０．３ラジアンと仮定されたときのティ１０の弾道がシミュレートされた結果が示されたグラフである。この図における曲線Ｃ１は、長さが６０ｍｍのティ１０の弾道である。曲線Ｃ２は、このティ１０に、直径が約２０ｍｍ（面積が約３１０ｍｍ２）である円盤状の本体４を備えたプレート２が装着されたときの弾道である。曲線Ｃ３は、このティ１０に、直径が約４０ｍｍ（面積が約１２５０ｍｍ２）である円盤状の本体４を備えたプレート２が装着されたときの弾道である。この図４から明らかなように、プレート２が装着されたティ１０の飛距離は、ティ１０単体の飛距離に比べて小さい。また、本体４が大きなプレート２が装着されたティ１０の飛距離は、本体４が小さなプレート２が装着されたティ１０の飛距離に比べて小さい。【００２０】  ティグラウンド及びその周辺には、通常は芝が植えられている。芝の上での目立ちやすさの観点から、プレート２に白色、黄色又は赤色の着色剤が配合されるのが好ましい。プレート２が架橋ゴムからなる場合は、このゴムがシリカで補強されるのが好ましい。
【図面の簡単な説明】
【００２１】
【図１】図１は、本発明の一実施形態に係るプレートが示された斜視図である。
【図２】図２は、図１のプレートが示された断面図である。
【図３】図３は、図１のプレートの使用状態が示された正面図である。
【図４】図４は、ティの弾道がシミュレートされた結果が示されたグラフである。
【符号の説明】
【００２２】２・・・プレート
４・・・本体
６・・・筒部
８・・・孔
１０・・・ゴルフティ
１２・・・脚
１４・・・台部
１６・・・ゴルフボール
【図１】
2005224579.tif 000003
【図２】
2005224579.tif 000004
【図３】
2005224579.tif 000005
【図４】
2005224579.tif 000006